(57)【要約】      （修正有）【課題】取付孔から不要意に取外されることを防止でき、取付孔から取外した後、容易に再利用できる、２ピースクリップを提供する。【解決手段】この２ピースクリップは、グロメット２０とピン５０とを備え、グロメット２０は、第１フランジ部２２と、複数の弾性係止片３６を有する係止脚部３０とを有し、第１フランジ部２２は、その表面の周縁が高く形成されてその内側が凹部２６をなし、ピン５０は、凹部２６に収容される湾曲可能な板状の頭部５２と、軸部５４とを有し、頭部５２の裏面周縁の対向する２箇所に凹部２６に当接する凸部５６が形成され、軸部５４には、弾性係止片３６を拡開させる拡径部６０と、弾性係止片３６を再び閉じさせて縮径させる縮径部６５とが設けられ、拡径部６０が弾性係止片３６を拡開させた状態で、頭部５２が凹部２６内に収容されて、凸部５６が凹部２６に当接するように構成されている。【選択図】図７
2009257508.tif 000002
【特許請求の範囲】
【請求項１】
グロメットとピンとを有し、グロメット又はピンのいずれかに設けられた弾性係止脚が拡開した状態から、グロメットに対してピンを更に押し込むことにより、弾性係止脚を縮径させることができるように構成された２ピースクリップにおいて、
前記グロメットは、フランジ部と該フランジ部の裏面から伸びる脚部とを有し、前記フランジ部は、その表面の周縁が高く形成されてその内側が凹部をなし、該凹部の底面に前記ピンが挿入される挿入孔が形成されており、
前記ピンは、前記フランジ部の前記凹部に収容される湾曲可能な板状の頭部と、この頭部の裏面から延出されて、前記挿入孔に挿入される軸部とを有し、前記頭部の裏面周縁の対向する２箇所に前記凹部に当接する凸部が形成されており、
前記弾性係止脚が拡開した状態で、前記ピンの頭部が前記凹部内に収容されて、前記凸部が前記凹部に当接するように構成され、その状態で前記ピンの頭部を押すことにより、前記頭部が撓んで前記軸部が更に押し込まれ、前記弾性係止脚が縮径するように構成されていることを特徴とする２ピースクリップ。
【請求項２】
前記頭部の凸部は、前記フランジ部の凹部の周壁に隣接して配置されている請求項１記載の２ピースクリップ。
【請求項３】
グロメットとピンとを有し、グロメット又はピンのいずれかに設けられた弾性係止脚が拡開した状態から、グロメットに対してピンを更に押し込むことにより、弾性係止脚を縮径させることができるように構成された２ピースクリップにおいて、
前記グロメットは、フランジ部と該フランジ部の裏面から伸びる脚部とを有し、前記フランジ部は、その表面の周縁が高く形成されてその内側が凹部をなし、該凹部の底面に前記ピンが挿入される挿入孔が形成されており、
前記ピンは、前記フランジ部の前記凹部に収容される湾曲可能な板状の頭部と、この頭部の裏面から延出されて、前記挿入孔に挿入される軸部とを有し、
前記グロメットの凹部内周には、前記ピンの頭部外周の対向する２箇所が当接する段部が形成されており、
前記弾性係止脚が拡開した状態で、前記ピンの頭部が前記凹部内に収容されて、前記頭部外周の対向する２箇所が前記凹部内周の段部に当接するように構成され、その状態で前記ピンの頭部を押すことにより、前記頭部が撓んで前記軸部が更に押し込まれ、前記弾性係止脚が縮径するように構成されていることを特徴とする２ピースクリップ。
【請求項４】
前記グロメットの脚部は、前記挿入孔から挿入されるピンの外側に配置される複数の弾性係止片を有しており、
前記ピンの軸部には、前記挿入孔に所定長さ挿入されたときに前記弾性係止片の内側に当接して該弾性係止片を拡開させる拡径部と、該拡径部よりも前記頭部側にあって、前記軸部を前記弾性係止片の拡開状態から更に押し込んだ際に、前記弾性係止片を再び閉じさせて縮径させる縮径部とが設けられており、
前記軸部の拡径部が前記弾性係止片を拡開させた状態で、前記ピンの頭部が前記凹部内に収容され、その状態で前記ピンの頭部を押すことにより、前記頭部が撓んで前記軸部が更に押し込まれて前記縮径部により前記弾性係止片が再び閉じるように構成されている請求項１〜３のいずれか１つに記載の２ピースクリップ。
【請求項５】
前記頭部は、一方向に長く伸びた板状をなしている請求項１〜４のいずれか１つに記載の２ピースクリップ。
【請求項６】
前記グロメットのフランジ部は、一方向に長く伸びた形状をなし、前記係止脚部は、前記フランジ部の裏面から所定長さで延出された筒部と、この筒部の先端部外周に形成されたもう一つのフランジ部と、該もう一つのフランジ部より更に先端側に形成された前記弾性係止片とで構成されている請求項１〜５のいずれか１つに記載の２ピースクリップ。
【発明の詳細な説明】
【技術分野】
【０００１】
本発明は、グロメットとピンとを備え、取付孔に挿入されて固定される２ピースクリップに関する。
【背景技術】
【０００２】
例えば、車両の車体パネル等の被取付部材には、トリムボード等の取付部材が、着脱可能に取付けられることがある。このように一方の部材に他方の部材を着脱可能に取付ける際には、グロメットとピンとからなるクリップが用いられることがある。
【０００３】
従来のこの種のクリップとして、下記特許文献１には、張出部及び該張出部の根元から垂下した複数の脚部を有するグロメットと、該脚部内へ挿入されて、脚部を押し広げるピンとを備え、前記ピンは、フランジと、該フランジから垂下した軸部と、該軸部の一端に設けられ、前記脚部の内側に形成された突部と係合して、脚部を押し広げる大径部と、前記軸部のフランジ及び大径部の間に設けられ、前記突部と係合し、前記脚部を元の状態に戻す小径部とを有し、前記グロメットの張出部には、前記脚部に前記小径部が係合した状態で前記フランジが当接するザグリ部が形成された、クリップが開示されている。
【０００４】
そして、グロメットにピンを組み付け後、取付孔に挿入してピンを押し込むと、グロメットの張出部が取付孔の表側周縁に当接すると共に、脚部内側の突部が大径部に係合して、脚部が押し広げられて、取付孔にクリップが固定される。このとき、ピンのフランジは、ザグリ部底面との間に、所定の隙間を設けた状態で、ザグリ部内に収容されるようになっており、クリップが取付孔に固定された状態から更にピンを押し込み可能となっている。また、取付孔からクリップを取外す場合には、上記固定状態からピンを押し込んで、小径部に脚部の突部が係合すると、該脚部が元の状態に縮径して引き抜き可能となっている。
【０００５】
また、下記特許文献２には、グロメットとピンとを備え、前記グロメットは、フランジ部及び係合片を有し、前記ピンは、軸部、及び、該軸部の基部側の端部から、該軸部の先端側に向かって斜め下方に傘状に広がる頭部を有しており、前記軸部には、先端側に係合片を縮径させた状態でグロメットと嵌合する第１嵌合部、中間部に係合片を拡径させた状態でグロメットと嵌合する第２嵌合部、基部側に係合片を再び縮径させた状態でグロメットと嵌合する第３嵌合部がそれぞれ形成されており、頭部を押して、ピンの第３嵌合部により係合片が縮径するまでピンを挿入したとき、頭部は、前記グロメットのフランジ部に当接して扁平形状に弾性変形するように構成された２ピースクリップが開示されている。
【特許文献１】特開２００７−５６８９５号公報
【特許文献２】特開２００７−１７０４６０号公報
【発明の開示】
【発明が解決しようとする課題】
【０００６】
上記特許文献１では、取付孔にクリップが固定されたとき、グロメットの張出部のザグリ部内にピンのフランジが収容され、該フランジとザグリ部底面との間に所定の隙間が設けられていて、ピンを比較的軽い力で押し込み可能な状態となっている。そのため、例えば、該クリップが車内に配置されていて、乗員が不要意にピンを押し込んでしまう場合があり、クリップが取付孔から抜けてしまう可能性があった。
【０００７】
また、取付孔からクリップを取外した後、再度取付孔の固定に利用したい場合には、グロメットの脚部を強制的に拡径させて、その突部を小径部から外さなければならず、比較的大きな力が必要であると共に、その作業が煩雑であった。
【０００８】
一方、上記特許文献２では、取付孔にクリップが固定された状態から、ピンを最大限深く押し込むと、傘状の頭部が扁平形状に弾性変形して、第３嵌合部に係合片が嵌合して、係合片が縮径保持されて取付孔から取外せるようになっている。しかし、ピンを最大限深く押し込んだ状態では、傘状の頭部は、突出した天井部分が押されて、その周縁部分が反対側に反り返った状態となっている。しかしながら、傘状の頭部が反り返った状態では、取付孔からクリップを取外したときに、ピンを元の位置に戻そうとする力が作用しないので、上記特許文献１と同様に、グロメットの係合片を強制的に拡径させてピンを元の位置に戻すと共に、反り返った状態の頭部を元の形状にもどさなければ、再利用することはできない。
【０００９】
したがって、本発明の目的は、取付孔から不要意に取外されることを防止できると共に、取付孔から取外した後、容易に再利用を図ることができる、２ピースクリップを提供することにある。
【課題を解決するための手段】
【００１０】
上記目的を達成するため、本発明の第１は、グロメットとピンとを有し、グロメット又はピンのいずれかに設けられた弾性係止脚が拡開した状態から、グロメットに対してピンを更に押し込むことにより、弾性係止脚を縮径させることができるように構成された２ピースクリップにおいて、
前記グロメットは、フランジ部と該フランジ部の裏面から伸びる脚部とを有し、前記フランジ部は、その表面の周縁が高く形成されてその内側が凹部をなし、該凹部の底面に前記ピンが挿入される挿入孔が形成されており、
前記ピンは、前記フランジ部の前記凹部に収容される湾曲可能な板状の頭部と、この頭部の裏面から延出されて、前記挿入孔に挿入される軸部とを有し、前記頭部の裏面周縁の対向する２箇所に前記凹部に当接する凸部が形成されており、
前記弾性係止脚が拡開した状態で、前記ピンの頭部が前記凹部内に収容されて、前記凸部が前記凹部に当接するように構成され、その状態で前記ピンの頭部を押すことにより、前記頭部が撓んで前記軸部が更に押し込まれ、前記弾性係止脚が縮径するように構成されていることを特徴とする２ピースクリップを提供するものである。
【００１１】
上記発明によれば、取付孔に弾性係止片及び軸部を挿入して、弾性係止片を取付孔の裏側周縁に係合させ、２ピースクリップを取付孔に固定した状態で、ピンの板状をなした頭部は、グロメットの凹部に収容され、頭部に設けた凸部が凹部に当接するようになっているので、不用意にピンが押し込まれて係合が解除されることを防止することができる。
【００１２】
また、取付孔から２ピースクリップを取外したい場合には、ピンの頭部を更に押し込むことにより、頭部が撓んで軸部が更に押し込まれ、弾性係止脚が縮径するので、取付孔から係止脚部を引き抜いて、取付孔からクリップを取外すことができる。
【００１３】
更に、取付孔から２ピースクリップを取り外した後、例えば軸部先端を頭部方向に押すことにより、撓み変形した板状の頭部の弾性復元力によって、比較的スムーズにピンを押し込む前の状態に戻すことができるので、２ピースクリップの再利用が容易となる。
【００１４】
本発明の第２は、前記第１の発明において、前記頭部の凸部は、前記フランジ部の凹部の周壁に隣接して配置されている２ピースクリップを提供するものである。
【００１５】
上記発明によれば、フランジ部の凹部に頭部が収容された状態で、更に頭部を押し込んで、押し込み方向に凹むように大きく撓ませたときに、凸部がその外側の周壁に当接するので、それ以上外側へ変形してしまうことが防止される。その結果、頭部の弾性復元力をより高めることができ、クリップを取付孔から取り外した後に、ピンを押し込む前の状態に復帰させやすくすることができる。
【００１６】
本発明の第３は、グロメットとピンとを有し、グロメット又はピンのいずれかに設けられた弾性係止脚が拡開した状態から、グロメットに対してピンを更に押し込むことにより、弾性係止脚を縮径させることができるように構成された２ピースクリップにおいて、
前記グロメットは、フランジ部と該フランジ部の裏面から伸びる脚部とを有し、前記フランジ部は、その表面の周縁が高く形成されてその内側が凹部をなし、該凹部の底面に前記ピンが挿入される挿入孔が形成されており、
前記ピンは、前記フランジ部の前記凹部に収容される湾曲可能な板状の頭部と、この頭部の裏面から延出されて、前記挿入孔に挿入される軸部とを有し、
前記グロメットの凹部内周には、前記ピンの頭部外周の対向する２箇所が当接する段部が形成されており、
前記弾性係止脚が拡開した状態で、前記ピンの頭部が前記凹部内に収容されて、前記頭部外周の対向する２箇所が前記凹部内周の段部に当接するように構成され、その状態で前記ピンの頭部を押すことにより、前記頭部が撓んで前記軸部が更に押し込まれ、前記弾性係止脚が縮径するように構成されていることを特徴とする２ピースクリップを提供するものである。
【００１７】
上記発明によれば、取付孔に弾性係止片及び軸部を挿入して、弾性係止片を取付孔の裏側周縁に係合させ、２ピースクリップを取付孔に固定した状態で、ピンの板状をなした頭部は、グロメットの凹部に収容されて、頭部外周の対向する２箇所が凹部内周の段部に当接するようになっているので、不用意にピンが押し込まれて係合が解除されることを防止することができる。
【００１８】
また、取付孔から２ピースクリップを取外したい場合には、ピンの頭部を更に押し込むことにより、頭部が撓んで軸部が更に押し込まれ、弾性係止脚が縮径するので、取付孔から係止脚部を引き抜いて、取付孔からクリップを取外すことができる。
【００１９】
更に、取付孔から２ピースクリップを取り外した後、例えば軸部先端を頭部方向に押すことにより、撓み変形した板状の頭部の弾性復元力によって、比較的スムーズにピンを押し込む前の状態に戻すことができるので、２ピースクリップの再利用が容易となる。
【００２０】
本発明の第４は、前記第１〜３のいずれか１つの発明において、前記グロメットの脚部は、前記挿入孔から挿入されるピンの外側に配置される複数の弾性係止片を有しており、
前記ピンの軸部には、前記挿入孔に所定長さ挿入されたときに前記弾性係止片の内側に当接して該弾性係止片を拡開させる拡径部と、該拡径部よりも前記頭部側にあって、前記軸部を前記弾性係止片の拡開状態から更に押し込んだ際に、前記弾性係止片を再び閉じさせて縮径させる縮径部とが設けられており、
前記軸部の拡径部が前記弾性係止片を拡開させた状態で、前記ピンの頭部が前記凹部内に収容され、その状態で前記ピンの頭部を押すことにより、前記頭部が撓んで前記軸部が更に押し込まれて前記縮径部により前記弾性係止片が再び閉じるように構成されている２ピースクリップを提供するものである。
【００２１】
上記発明によれば、フランジ部の挿入孔を通して、ピンの軸部を途中まで挿入し、弾性係止片を拡径させない状態で、取付孔に弾性係止片及び軸部を挿入し、その後ピンを更に深く挿入することにより、拡径部により弾性係止片が押し広げられて取付孔の裏側周縁に係合し、２ピースクリップを取付孔に固定することができる。
【００２２】
また、取付孔から２ピースクリップを取外したい場合には、ピンの頭部を更に押し込むことにより、頭部が撓んで軸部が更に押し込まれるので、軸部に設けた縮径部により弾性係止片が再び閉じるので、取付孔から係止脚部を引き抜いて、取付孔からクリップを取外すことができる。
【００２３】
本発明の第５は、前記第１〜４のいずれか１つの発明において、前記頭部は、一方向に長く伸びた板状をなしている２ピースクリップを提供するものである。
【００２４】
上記発明によれば、頭部が一方向に長く伸びた板状をなしているので、フランジ部の凹部に頭部が収容された状態で、更に頭部を押し込んだときに、頭部をより撓ませやすくすることができ、ピンの軸部を更に押し込んでクリップの係合状態を解除させやすくすることができる。
【００２５】
本発明の第６は、前記第１〜５のいずれか１つの発明において、前記グロメットのフランジ部は、一方向に長く伸びた形状をなし、前記係止脚部は、前記フランジ部の裏面から所定長さで延出された筒部と、この筒部の先端部外周に形成されたもう一つのフランジ部と、該もう一つのフランジ部より更に先端側に形成された前記弾性係止片とで構成されている２ピースクリップを提供するものである。
【００２６】
上記発明によれば、フランジ部が一方向に長く伸びた形状をなすと共に、その裏面側から筒部が延出されているので、袋等の持ち手を引き掛けることができるフックとして、利用することができる。また、フランジ部の内側に形成する凹部も一方向に長く伸びた形状とすることができ、その凹部に適合する、ピンの頭部も長く伸びた形状とすることができるので、頭部の撓み易さを確保することができる。
【発明の効果】
【００２７】
本発明の２ピースクリップによれば、弾性係止片が拡径されて取付孔の裏側周縁に係合した状態で、ピンの板状をなした頭部がグロメットの凹部に収容され、頭部の対向する２箇所が、頭部に設けた凸部又は凹部に設けた段部を介して、凹部に当接するようになっているので、不用意にピンが押し込まれて係合が解除されることを防止することができる。
【００２８】
また、取付孔から２ピースクリップを取外したい場合には、ピンの頭部を更に押し込むことにより、頭部が撓んで軸部が更に押し込まれ、弾性係止片が縮径するので、取付孔から係止脚部を引き抜いて、取付孔からクリップを取外すことができる。
【００２９】
更に、取付孔から２ピースクリップを取り外した後、例えば軸部先端を頭部方向に押すことにより、撓み変形した板状の頭部の弾性復元力によって、比較的スムーズにピンを押し込む前の状態に戻すことができるので、２ピースクリップの再利用を容易にすることができる。
【発明を実施するための最良の形態】
【００３０】
以下、図１〜９を参照して本発明の２ピースクリップの一実施形態について説明する。
【００３１】
この実施形態の２ピースクリップ１０（以下、「クリップ１０」という）は、図８,９に示すように、車両内部に配置された車体パネル等の被取付部材１に形成された丸孔状の取付孔３に脱着可能に固定されて、買い物袋等を引き掛けるためのフックとして用いられるものである。ただし、本発明の２ピースクリップは、上記のようなフックに限らず、車体パネル等の被取付部材１に対して、ガーニッシュ、トリムボード、カバー、アシストグリップ等の取付部材を脱着可能に取付けるためのクリップや、パネル部材どうしを連結させるためのクリップなどとして用いることもできる。
【００３２】
図１に示すように、この２ピースクリップ１０は、グロメット２０と、該グロメット２０に挿入されて組付けられるピン５０とを有している。
【００３３】
そこでまず、グロメット２０について、図１〜３及び図５〜７を参照して説明すると、このグロメット２０は、第１フランジ部２２（本発明における「フランジ部」に相当）と、該第１フランジ部２２の裏面から伸びる係止脚部３０とを有している。前記第１フランジ部２２は、所定の幅で一方向に長く伸びると共に、長さ方向両端が円弧状をなす形状をなし、その表面側の周縁から所定高さで周壁２４が立設しており、その内側が凹部２６をなしている。図５に示すように、凹部２６の底面中央には、後述するピン５０の軸部５４が挿入される挿入孔２７が形成されている。
【００３４】
第１フランジ部２２の裏面側であって、挿入孔２７の周縁からは、円筒状の筒部３２が所定長さで延出しており、該筒部３２の先端部外周から第２フランジ部３４（本発明における「もう一つのフランジ部」に相当）が環状に広がって設けられている。図６に示すように、第２フランジ部３４は、取付け状態において、被取付部材１に形成された取付孔３の表側周縁に当接する。
【００３５】
この実施形態の場合、前記第１フランジ部２２、筒部３２及び第２フランジ部３４は、図９に示すように袋５の持ち手７を引き掛けるためのフックとして機能する。なお、第１フランジ部２２の裏面側の長さ方向両端には、図６に示すように、丸味を帯びた円形突起２８が突設されており、袋５の持ち手７を引き掛けたとき、持ち手７が第１フランジ部２２から外れにくくなっている。
【００３６】
筒部３２の先端側内周には、抜け止めリブ３５が突設されている。図５に示すように、この抜け止めリブ３５は、グロメット２０にピン５０を所定深さ押し込んだとき、ピン５０の先端部を後述する態様で係合させて、抜け止め保持させる役割をなす。
【００３７】
また、前記第２フランジ部３４の裏面側の内周縁からは、周方向に均等に配置されて軸方向に伸びる４つのスリット３７を介して４片に分割され、内外に撓み可能とされた弾性係止片３６が、軸方向に突設されている。これらの弾性係止片３６は、ピン５０を挿入したとき、ピン５０の軸部５４を囲むように配置されて、それらの先端部には、内方に向けて突出する嵌合突部３８が形成されている。
【００３８】
また、各弾性係止片３６の外側面のほぼ中間には、係合段部４０が形成されている。更に、各弾性係止片３６の外側面の先端は、次第に縮径するテーパ面４１をなしており、取付孔３に挿入しやすくなっている。
【００３９】
この実施形態では、筒部３２、第２フランジ部３４及び弾性係止片３６が、係止脚部３０を構成している。ただし、フックではなく、通常のクリップとして用いる場合には、筒部３２及び第２フランジ部３４を設ける必要はなく、第１フランジ部２２の裏面側から直接弾性係止片３６を突設させてもよい。
【００４０】
次に図１〜７を参照して、上記グロメット２０に挿入されて組付けられるピン５０について説明する。このピン５０は、前記第１フランジ部２２の凹部２６内に収容される、頭部５２と、該頭部５２の裏面中央から延出され、前記挿入孔２７に挿入されると共に、４片の弾性係止片３６の内側に入り込む、軸部５４とを有している。
【００４１】
前記頭部５２は、前記凹部２６の内周に適合するように、所定の幅で一方向に長く伸びると共に、長さ方向両端が円弧状をなす形状とされた、所定厚さの板状をなしている。図４（ａ）に示すように、この頭部５２は、長さ方向中央が、長さ方向両側部よりも若干高く突出するように、緩やかなカーブを描いて外側にやや湾曲した形状をなしている。
【００４２】
そして、この板状の頭部５２の裏面側であって、その長さ方向両端の対向する２箇所には、前記凹部２６の底面に当接する凸部５６,５６が形成されている。そして、図６に示すように、頭部５２が凹部２６内に収容されたとき、頭部５２と凹部２６の底面との間に所定の空隙Ｃを設けて、頭部５２を更に押し込み可能な状態で、凸部５６,５６が凹部２６の底面に当接して、頭部５２の対向する２箇所が支持されるようになっている。また、上記の状態で、周壁２４の上端部と、頭部５２の外周縁部とがほぼ同一の高さとなるように、凸部５６の突出高さが設定されている。なお、この実施形態では、図４（ｃ）の底面図に示すように、各凸部５６の外側面には、最も高く突出した頂部５６ａと、該頂部５６ａから凸部５６の両側縁に向かって次第に低くなるように傾斜したテーパ面５６ｂ,５６ｂとが形成されている。
【００４３】
そして、各凸部５６は、周壁２４の内周面に隣接して配置されている。したがって、図７に示すように、頭部５２のほぼ中央を更に押し込んだとき、凸部５６,５６により頭部５２の裏面側の対向する２箇所が支持されるため、頭部５２が大きく湾曲して撓み変形し、軸部５４を更に押し込み可能とされている。このとき、各凸部５６の下端部の頂部５６ａが周壁２４の内周面に当接して、各凸部５６が外側に開いてしまうことを阻止できるようになっている。このため、湾曲した頭部５２の弾性復元力が、押し込んだ軸部５４を引き戻す力として効果的に作用するようにしている。
【００４４】
なお、本発明において、頭部５２の形状は、上記のような所定幅で細長い板状に限られるものではなく、凹部２６の底面に凸部５６,５６が当接した状態で、軸部５４を更に押し込むために湾曲可能な形状をなしていればよく、例えば円形でも、楕円形でも、矩形でもよい。ただし、傘状の頭部のように、押し込むと反り返ってしまい、弾性復元力が発揮されないものは除くものとする。
【００４５】
また、頭部５２の裏面中央から軸部５４が突設されている。軸部５４は、周方向に均等な角度で放射状に突出した４つの板状リブ５７を有し、軸方向に対して垂直な断面で見たときに十字形状をなしている。各板状リブ５７の間には、軸方向に所定間隔で複数の補強突部５９が設けられており、各板状リブ５７を周方向に連結して軸部５４の補強が図られている。また、各板状リブ５７の外径方向の先端縁部は、グロメット２０にピン５０を押し込むときに、４片の弾性係止片３６を分断する４つのスリット３７にそれぞれ挿入されて、ピン５０の押し込みガイドをなしている。
【００４６】
また、軸部５４の軸方向先端には、円盤状をなした拡径部６０が連設されており、その外周には周方向に沿って均等な間隔をあけて、かつ、隣接する板状リブ５７どうしの間に位置するように、４つの嵌合凹部６１が所定深さで形成されている。したがって、図５に示すように、グロメット２０にピン５０が抜け止め保持された状態で、ピン５０を更に押し込むと、図６に示すように、拡径部６０が嵌合突部３８を介して各弾性係止片３６を押し広げて拡開させると共に、同嵌合突部３８が嵌合凹部６１に嵌り込んで、弾性係止片３６を拡開させた状態に保持できるようになっている。
【００４７】
更に、図１に示すように、上記拡径部６０よりも基端側には、テーパ面６５ａを介して縮径部６５が設けられている。この縮径部６５よりも更に基端側には、傾斜面６５ｃを介して再び拡径した嵌合保持部６３が設けられている。縮径部６５は、各板状リブ５７の間に配置されており、図７に示すように、軸部５４を最大限に押し込んだときに、弾性係止片３６の嵌合突部３８が、対応する縮径部６５に嵌入して縮径するようになっている。
【００４８】
更に、各板状リブ５７の先端部には、次第に縮径するテーパ面５７ａが形成されると共に、テーパ面５７ａの基端側には抜け止め突部６７が設けられている。更に、周方向に対向する一対の板状リブ５７には、前記嵌合保持部６３の傾斜面６５ｃとの境界部に位置して、上記板状リブ５７に対して垂直方向に貫通された抜き孔６９が形成されており、この抜き孔６９の外径側には、抜き孔６９を介して内側に撓み可能とされた押え片６８が突設されている。そして、図５に示すように、ピン５０の軸部５４をグロメット２０の挿入孔２７に途中まで挿入したとき、抜け止め突部６７と押え片６８との間に、抜け止めリブ３５が嵌合して、ピン５０をグロメット２０に仮保持できるようになっている。
【００４９】
次に、上記構成からなるクリップ１０の使用方法について説明する。
【００５０】
まず、図５に示すように、グロメット２０にピン５０を途中まで挿入して、グロメット２０にピン５０を抜け止め保持させる。すなわち、グロメット２０の弾性係止片３６の間の４つのスリット３７に、ピン５０の各板状リブ５７を整合させて、グロメット２０の挿入孔２７を通して、筒部３２内に軸部５４を挿入し、軸部５４先端の拡径部６０が４片の弾性係止片３６の内側に至る程度まで押し込むことにより、ピン５０の抜け止め突部６７と押え片６８との間に、グロメット２０の抜け止めリブ３５が嵌合して、ピン５０をグロメット２０に抜け止め保持させることができる。この状態では、グロメット２０の弾性係止片３６は閉じた状態となっている。
【００５１】
上記のように組付けられたクリップ１０の脚部側を、図８に示すように、被取付部材１の取付孔３に挿入していき、取付孔３の表側周縁に第２フランジ部３４を当接させる。次いで、グロメット２０に対してピン５０を深く押し込んでいくと、図６に示すように、ピン５０の押え片６８が内側に撓んで抜け止めリブ３５を乗り越えて、軸部５４が更に下方に押し込まれる。すると、軸部５４先端の拡径部６０が、弾性係止片３６の嵌合突部３８に当接して、弾性係止片３６を外径側に押し広げ、弾性係止片３６の嵌合突部３８が拡径部６０の嵌合凹部６１に嵌入する。その結果、弾性係止片３６が拡径状態に保持されると共に、弾性係止片３６の係合段部４０が被取付部材１の取付孔３の裏側周縁に係合する。その結果、被取付部材１の取付孔３の周縁が第２フランジ部３４と弾性係止片３６とで挟持され、被取付部材１にクリップ１０を取付けることができる。
【００５２】
このとき、頭部５２と凹部２６との間に空隙Ｃを設けた状態で、頭部５２の裏面側の対向する２箇所に設けた凸部５６,５６が、凹部２６の底面に突き当って、凹部２６内に頭部５２が収容されて保持されるようになっている。このように、凹部２６の底面に凸部５,５６が当接して、頭部５２がその位置で支持されているので、意図的に強く押さない限り頭部５２を押し込むことができず、頭部５２が不要意に押されてしまうことを確実に防止することができ、取付孔３にクリップ１０が固定された状態を維持することができる。
【００５３】
上記のように取付孔３に取付けたクリップ１０は、図９に示すように、袋５の持ち手７を筒部３２引き掛けることにより、第１フランジ部２２によって抜け止めされて、袋５を脱落しないように保持させることができるので、袋引き掛け用のフックとして用いることができる。
【００５４】
また、車両のメンテナンス等の理由により、取付孔３からクリップ１０を取外したい場合には、図７に示すように、頭部５２の中央部を更に強く押し込んで、頭部５２を湾曲させ、軸部５４を更に深く押し込めばよい。すると、拡径部６０の嵌合凹部６１から弾性係止片３６の嵌合突部３８が抜け外れて、各弾性係止片３６の弾性復元力によって同嵌合突部３８がテーパ面６５ａと傾斜面６５ｃとの間にある縮径部６５に嵌入し、各弾性係止片３６が再び縮径する。各弾性係止片３６の嵌合突部３８が縮径部６５に嵌入することにより、各弾性係止片３６は縮径状態に維持される。したがって、この状態で、クリップ１０を持ち上げることにより、取付孔３から係止脚部３０を引き抜いて、クリップ１０を取外すことができる。
【００５５】
なお、このクリップ１０においては、上記のように頭部５２を更に押し込んだとき、頭部５２の裏面側の長手方向に対向する位置に形成された凸部５６,５６が凹部２６の底面に当接するため、頭部５２が押し込み方向に大きく凹むように撓み変形する。その結果、湾曲した頭部５２の弾性復元力が、押し込んだ軸部５４を引き戻す力として作用する。このとき、凸部５６,５６が外側に開くように変形しようとするが、凸部５６,５６が凹部２６の周壁２４の内周に当接して外側に開くことを阻止されるため、上記頭部５２の弾性復元力による軸部５４の引き戻し力を効果的に付与することができる。
【００５６】
一方、上記軸部５４の引き戻し力が作用しても、各弾性係止片３６の嵌合突部３８が縮径部６５に嵌入することにより、各弾性係止片３６は縮径状態に維持されているので、取付孔３から係止脚部３０を引き抜く操作に支障をきたすことはない。しかし、上記作業でクリップ１０を取付孔３から取外した後、例えば、軸部５４先端を、頭部５２の方向に少し押し込むことにより、撓み変形した頭部５２の弾性復元力による軸部５４の引き戻し力によって、比較的スムーズにピン５０を押し込む前の状態に戻すことができ、クリップ１０の再利用を容易に図ることができる。
【００５７】
図１０,１１には、本発明による２ピースクリップの他の実施形態が示されている。なお、前記実施形態と実質的に同一部分には同符号を付してその説明を省略する。
【００５８】
この実施形態における２ピースクリップ１０ａ（以下、「クリップ１０ａ」という）は、前記実施形態のクリップ１０と比べて、頭部５２に対して弾性復元力を作用させるための構造が異なっている。
【００５９】
図１０,１１に示すように、頭部５２の外周の対向する２箇所、すなわち、一方向に長く伸びる板状の頭部５２の長さ方向両端から、外方に向かって一対の突片５８,５８がそれぞれ突出している。これに対応して凹部２６の内周、ここでは周壁２４の長さ方向両端の内周面の上端から、凹状の段部２９,２９が所定深さで形成されている。
【００６０】
そして、拡径部６０により弾性係止片３６を拡開させた状態で、頭部５２が凹部２６内に収容されると共に、頭部５２と凹部２６の底面との間に所定の空隙を設けて、頭部５２を押し込み可能な状態で、突片５８,５８が、凹状の段部２９,２９に嵌入して、その底面に当接し、頭部５２の対向する２箇所が支持されるようになっている。
【００６１】
この実施形態においても、グロメット２０にピン５０の軸部５４を途中まで挿入し、弾性係止片３６を拡径させない状態で、取付孔３に挿入して、その後ピン５０を更に深く挿入することにより、拡径部６０により弾性係止片３６が押し広げられて、取付孔３の裏側周縁に係合し、クリップ１０を取付孔３に固定することができる。
【００６２】
このとき、頭部５２は、凹部２６に収容されて、頭部５２外周の対向する突片５８,５８が、凹部２６内周の段部２９,２９に当接するようになっているので、不用意にピン５０が押し込まれて係合が解除されることを防止することができる。
【００６３】
また、取付孔３からクリップ１０ａを取外したい場合には、頭部５２を更に押し込むことにより、頭部５２が撓んで軸部５４が更に押し込まれて、軸部５４に設けた縮径部６５により弾性係止片３６が再び閉じるので、取付孔３から係止脚部３０を引き抜いて、取付孔３からクリップ１０ａを取外すことができる。
【００６４】
更に、取付孔３らクリップ１０ａを取り外した後、軸部５４先端を頭部５２方向に押すことにより、撓み変形した板状の頭部５２の弾性復元力によって、比較的スムーズにピン５０を押し込む前の状態に戻すことができるので、クリップ１０ａの再利用が容易となる。
【００６５】
図１２には、本発明による２ピースクリップの更に他の実施形態が示されている。なお、前記実施形態と実質的に同一部分には同符号を付してその説明を省略する。
【００６６】
この実施形態における２ピースクリップ１０ｂ（以下、「クリップ１０ｂ」という）は、前記実施形態のクリップ１０ａと同様に、凹部２６内周に設けた段部に、ピン５０の頭部５２の対向する２箇所が当接する構成となっている。
【００６７】
このクリップ１０ｂは、凹部２６の内周、すなわち、周壁２４の長さ方向両端の内周面から凹部２６内方に突出する、リブ状の段部２９ａ,２９ａがそれぞれ設けられている。一方、頭部５２の両端部は、前記実施形態のクリップ１０ａのような突片５８が設けられていない形状とされ、その対向する２箇所の裏面側が、前記突起状の段部２９ａ,２９ａの上端面に当接した状態で、凹部２６内に収容されるようになっている。そして、この実施形態のクリップ１０ｂにおいても、取付孔３に固定された状態から、ピン５０の頭部５２を押し込むことにより、頭部５２が撓み変形するようになっている。
【００６８】
なお、上記各実施例では、グロメットに弾性係止片が設けられているが、本発明は、ピンの軸部に弾性係止片が設けられていて、この弾性係止片がグロメットの側壁の開口から突出して拡開状態になり、取付孔に係合できるように構成されていて、その状態から更にピンを押し込むことにより、上記開口縁部に当接して弾性係止片が閉じて縮径し、係合を解除できるように構成された２ピースクリップにも適用できる。
【図面の簡単な説明】
【００６９】
【図１】本発明の２ピースクリップの一実施形態を示す分解斜視図である。
【図２】同２ピースクリップの斜視図である。
【図３】同２ピースクリップを示しており、（ａ）は正面図、（ｂ）は側面図である。
【図４】同２ピースクリップを構成するピンを示しており、（ａ）は正面図、（ｂ）は側面図、（ｃ）は底面図である。
【図５】グロメットにピンを組付けた状態を示す説明図である。
【図６】本発明の２ピースクリップを取付孔に固定した状態を示す説明図である。
【図７】同２ピースクリップを、取付孔から取外した状態を示す説明図である。
【図８】同２ピースクリップを、取付孔に固定する際の状態を示す斜視図である。
【図９】同２ピースクリップの使用状態を示す斜視図である。
【図１０】本発明の２ピースクリップの他の実施形態を示す分解斜視図である。
【図１１】同２ピースクリップを、取付孔から取外した状態を示す説明図である。
【図１２】本発明の２ピースクリップの更に他の実施形態を示す要部拡大斜視図である。
【符号の説明】
【００７０】
３  取付孔
１０,１０ａ,１０ｂ  ２ピースクリップ（クリップ）
２０  グロメット
２２  第１フランジ部（フランジ部）
２４  周壁
２６  凹部
２７  挿入孔
２９  段部
３０  係止脚部
３２  筒部
３４  第２フランジ部（もう一つのフランジ部）
３６  弾性係止片
５０  ピン
５２  頭部
５４  軸部
５６  凸部
６０  拡径部
６５  縮径部
【図１】
2009257508.tif 000003
【図２】
2009257508.tif 000004
【図３】
2009257508.tif 000005
【図４】
2009257508.tif 000006
【図５】
2009257508.tif 000007
【図６】
2009257508.tif 000008
【図７】
2009257508.tif 000009
【図８】
2009257508.tif 000010
【図９】
2009257508.tif 000011
【図１０】
2009257508.tif 000012
【図１１】
2009257508.tif 000013
【図１２】
2009257508.tif 000014